(57)【特許請求の範囲】
【請求項１】
複数のラベルの印刷内容を個々に編集可能とし、前記各印刷内容の編集結果に基づいて前記複数のラベルを作成するラベル作成装置であって、
操作部と、
前記操作部の操作を受けて、順番付けされた前記複数のラベルの中で編集対象のラベルを切り替える編集対象切替部と、
前記編集対象のラベルのプレビュー画像と、前記編集対象のラベルに対して前記順番上前後するラベルの印刷内容と、を含む編集画面を表示する編集画面表示部と、を備え、
前記編集画面表示部は、
前記編集対象のラベルに対し、前記順番上１つ前のラベルが存在する場合、前記プレビュー画像の先頭側に、前記順番上１つ前のラベルが存在することを示す第１オブジェクトを表示し、前記順番上１つ前のラベルが存在しない場合、前記第１オブジェクトを表示せず、
前記編集対象のラベルに対し、前記順番上１つ後のラベルが存在する場合、前記プレビュー画像の後尾側に、前記順番上１つ後のラベルが存在することを示す第２オブジェクトを表示し、前記順番上１つ後のラベルが存在しない場合、前記第２オブジェクトを表示しないことを特徴とするラベル作成装置。
【請求項２】
前記編集画面表示部は、前記編集画面において、前記印刷内容上の編集位置を示すカーソルを表示し、
前記操作部は、
前記カーソルを、前記印刷内容の先頭方向に移動させる第１カーソルキーと、
前記カーソルを、前記印刷内容の後尾方向に移動させる第２カーソルキーと、を有し、
前記編集対象切替部は、
前記カーソルが前記印刷内容の先頭位置にある状態で前記第１カーソルキーが押下された時、前記編集対象のラベルに対し前記順番上１つ前のラベルが存在する場合には、前記編集対象のラベルを当該１つ前のラベルに切り替え、
前記カーソルが前記印刷内容の後尾位置にある状態で前記第２カーソルキーが押下された時、前記編集対象のラベルに対し前記順番上１つ後のラベルが存在する場合には、前記編集対象のラベルを当該１つ後のラベルに切り替えることを特徴とする請求項１に記載のラベル作成装置。
【請求項３】
前記複数のラベルのうちの前記順番上１つ目のラベルにおける印刷内容の編集結果を、他のラベルの印刷内容に反映させる編集結果反映部を、更に備えたことを特徴とする請求項１または２に記載のラベル作成装置。
【請求項４】
前記編集画面表示部は、
前記編集対象のラベルに対し、前記第１オブジェクトの表示位置に、前記プレビュー画像が重なっていないときに、前記第１オブジェクトを表示し、
前記編集対象のラベルに対し、前記第２オブジェクトの表示位置に、前記プレビュー画像が重なっていないときに、前記第２オブジェクトを表示することを特徴とする請求項１ないし３のいずれか一項に記載のラベル作成装置。
【発明の詳細な説明】
【技術分野】
【０００１】
本発明は、複数のラベルの印刷内容を個々に編集可能とし、各印刷内容の編集結果に基づいて複数のラベルを作成するラベル作成装置に関するものである。
【背景技術】
【０００２】
従来、ラベル作成装置（テープ印刷装置）として、各種入力キーを備えたキーボードと、キーボードを用いて入力した入力情報に基づく編集結果（文書）や、編集結果に基づくプレビュー画像（印刷プレビュー）を表示する表示画面と、印刷テープに対し編集結果に基づく印刷を実行する印刷部と、印刷テープの印刷済み部分を切断する切断部と、を備えたものが知られている（特許文献１参照）。このテープ印刷装置は、印刷部により、印刷テープに対し印刷を行った後、切断部により、印刷済み部分を切断することで、短冊状のラベルを作成する。
【先行技術文献】
【特許文献】
【０００３】
【特許文献１】特開２０１３−５８０４１号公報
【発明の概要】
【発明が解決しようとする課題】
【０００４】
ところで、この種のラベル作成装置において、印刷内容が異なる複数のラベルをまとめて作成したいという要請がある。すなわち、既存の方法で印刷内容が異なる複数のラベルを作成する場合、ラベル毎に、印刷内容の編集と、編集結果に基づくラベルの作成処理（印刷処理および切断処理）とを行うことになり、ラベル作成作業が著しく煩雑であった。そのため、複数のラベルにおける印刷内容の編集をまとめて行い、各編集結果に基づくラベルの作成処理をまとめて行いたいという要請が生じている。
これに対し、複数のラベルの各印刷内容をテキスト形式で編集可能に表示し、各印刷内容の編集結果に基づいて複数のラベルを作成することが考えられる。しかしながら、このような構成では、テキスト形式で印刷内容を表示するのみであるため、ユーザーは、作成されるラベルを予想して印刷内容を編集する他なく、所望するラベルを作成することが難しいという問題があった。そこで、複数のラベルの各プレビュー画像を表示することが提案されるが、かかる構成では、複数のプレビュー画像の生成処理によって、ラベル作成装置のメモリ容量を圧迫してしまうという問題や、既存の表示画面に表示しきれず、表示画面を大きくしなければならないという問題が生じてしまう。
これに対し、本願発明者は、これらの問題を解決すべく、編集中（編集対象）のラベルのみ、プレビュー画像を表示し、他のラベルについては、プレビュー画像の表示を省略することを考えた。しかしながら、単に、編集中のラベルのみのプレビュー画像を表示する構成では、プレビュー画像を表示している編集中のラベルが何番目のラベルであるか、当該ラベルに対して順番上前後するラベルが存在するか、といったことが直観的に把握できず、各ラベルの編集作業をスムーズに行うことができないという問題が生じた。
【０００５】
本発明は、印刷内容が異なる複数のラベルをまとめて作成可能なラベル作成装置において、プレビュー画像を表示している編集中のラベルに対する順番上前後するラベルの有無を、直観的且つ容易に把握することができるラベル作成装置を提供することを課題としている。
【課題を解決するための手段】
【０００６】
本発明のラベル作成装置は、複数のラベルの印刷内容を個々に編集可能とし、各印刷内容の編集結果に基づいて複数のラベルを作成するラベル作成装置であって、操作部と、操作部の操作を受けて、順番付けされた複数のラベルの中で編集対象のラベルを切り替える編集対象切替部と、編集対象のラベルのプレビュー画像を含む編集画面を表示する編集画面表示部と、を備え、編集画面表示部は、編集対象のラベルに対し、順番上１つ前のラベルが存在する場合、プレビュー画像の先頭側に、順番上１つ前のラベルが存在することを示す第１オブジェクトを表示し、編集対象のラベルに対し、順番上１つ後のラベルが存在する場合、プレビュー画像の後尾側に、順番上１つ後のラベルが存在することを示す第２オブジェクトを表示することを特徴とする。
【０００７】
この構成によれば、編集対象となっているラベルに対し順番上１つ前のラベルが存在する場合、プレビュー画像の先頭側に、第１オブジェクトを表示し、編集対象となっているラベルに対し順番上１つ後のラベルが存在する場合、プレビュー画像の後尾側に、第２オブジェクトを表示する。このように、順番上前後するラベルの有無に応じて、プレビュー画像の先頭側または後尾側に、特定のオブジェクトを表示する構成であるため、ユーザーは、プレビュー画像が表示されている編集中のラベルに対し、順番上前後するラベルが存在するか否かを直観的且つ容易に把握することができる。そのため、各ラベルの編集作業をスムーズに行うことができ、ラベル作成作業をスムーズに行うことができる。
【０００８】
この場合、編集画面表示部は、編集画面において、印刷内容上の編集位置を示すカーソルを表示し、操作部は、カーソルを、印刷内容の先頭方向に移動させる第１カーソルキーと、カーソルを、印刷内容の後尾方向に移動させる第２カーソルキーと、を有し、編集対象切替部は、カーソルが印刷内容の先頭位置にある状態で第１カーソルキーが押下された時、編集対象のラベルに対し順番上１つ前のラベルが存在する場合には、編集対象のラベルを当該１つ前のラベルに切り替え、カーソルが印刷内容の後尾位置にある状態で第２カーソルキーが押下された時、編集対象のラベルに対し順番上１つ後のラベルが存在する場合には、編集対象のラベルを当該１つ後のラベルに切り替えることが好ましい。
【０００９】
この構成によれば、カーソルキーを用いた直観的な操作で、編集対象のラベルを切り替えることができる。よって、各ラベルの編集作業をよりスムーズに行うことができる。
【００１０】
また、複数のラベルのうちの順番上１つ目のラベルにおける印刷内容の編集結果を、他のラベルの印刷内容に反映させる編集結果反映部を、更に備えることが好ましい。
【００１１】
この構成によれば、１つ目のラベルの編集結果が、他のラベルにも反映されるため、２つ目以降のラベルの編集作業を行う際、１つ目のラベルの編集結果が初期値として表示された状態となる。複数のラベルをまとめて作成する場合、似たような印刷内容のラベルを作成するケースが多いため、このような構成であれば、２つ目以降のラベルの編集作業を簡略化することができる。例えば、印刷内容が、それぞれ「ＡＢＣ７」、「ＡＢＣ２６」、「ＡＢＣ３３」である３つのラベルを作成する場合、１つ目のラベルの印刷内容を編集して、「ＡＢＣ７」とすると、２つ目のラベルおよび３つ目のラベルの印刷内容も、一度「ＡＢＣ７」となる。かかる場合、２つ目のラベルの編集作業は、「７」を「２６」に修正するだけで良く、また３つ目のラベルを編集作業は、「７」を「３３」に修正するだけで良い。このように、２つ目以降のラベルの編集作業を簡略化することができ、ラベル作成作業を、よりスムーズに行うことができる。
【００１２】
また、編集画面表示部は、編集画面において、プレビュー画像と共に、編集対象のラベルに対して順番上前後するラベルの印刷内容を表示することが好ましい。
【００１３】
この構成によれば、編集中のラベルに前後するラベルの印刷内容を、プレビュー画像と共に表示することで、ユーザーは、前後のラベルの有無のみならず、前後のラベルの印刷内容についても把握することができる。また、オブジェクトの表示と、印刷内容の表示との両方で、前後のラベルの有無を把握することができるので、前後のラベルの有無がより把握しやすくなり、各ラベルの編集作業をよりスムーズに行うことができる。
【図面の簡単な説明】
【００１４】
【図１】第１実施形態におけるラベル作成装置の構成を示したブロック図である。
【図２】ストリップ印刷機能用の編集画面を示した図である。
【図３】第１実施形態の、ラベル作成動作の前半における編集画面の遷移例を示した画面遷移図である。
【図４】第１実施形態の、ラベル作成動作の後半における編集画面の遷移例を示した画面遷移図である。
【図５】第２実施形態におけるラベル作成装置の構成を示したブロック図である。
【図６】第２実施形態の、ラベル作成動作の前半における編集画面の遷移例を示した画面遷移図である。
【図７】第２実施形態の、ラベル作成動作の後半における編集画面の遷移例を示した画面遷移図である。
【図８】ストリップ印刷機能用の編集画面の変形例を示した図である。
【発明を実施するための形態】
【００１５】
［第１実施形態］
以下、添付の図面を参照し、本発明の一実施形態に係るラベル作成装置について説明する。このラベル作成装置は、長尺状の印刷テープに印刷を行い、印刷テープの印刷済み部分を切断することで、ラベル（テープ片）を作成するテープ印刷装置である。特に、本ラベル作成装置は、印刷内容が異なる複数のラベルをまとめて作成可能な機能（以下、ストリップ印刷機能と呼称）を有するものである。
【００１６】
図１に示すように、ラベル作成装置１は、ディスプレイ１１と、キーボード１２と、カートリッジ装着部１３と、印刷部１４と、切断部１５と、制御部１６と、記憶部１７と、を備えている。
【００１７】
ディスプレイ１１は、ラベルの作成に関する各種情報を表示するものであり、主に、ラベルの印刷内容６２を編集するための編集画面Ｄ（図２（ａ）参照）を表示する。なお、図２（ａ）に示す編集画面Ｄは、ストリップ印刷機能用の編集画面である。
【００１８】
キーボード１２は、各種操作を行うための操作部であり、編集画面Ｄ上で印刷内容６２を編集するための編集部として機能する。キーボード１２は、文字入力を行うための文字キー群２１と、機能キー群２２と、を有している。機能キー群２２には、印刷キー２２ａ、削除キー２２ｂ、左カーソルキー２２ｃ（第１カーソルキー）および右カーソルキー２２ｄ（第２カーソルキー）などが含まれている。
【００１９】
カートリッジ装着部１３は、長尺状の印刷テープを収容したテープカートリッジＣを着脱自在に装着する。テープカートリッジＣに収容された印刷テープは、表面に印刷画像が形成される記録テープと、粘着剤層により記録テープの裏面に貼着した剥離テープと、を積層して構成されている。当該印刷テープから作成されたラベルは、記録テープ部分から剥離テープ部分を剥がし、粘着剤層により記録テープ部分を、対象物に貼り付けることで利用される。
【００２０】
印刷部１４は、印刷ヘッド３１を有し、テープカートリッジＣから繰り出された印刷テープに対し印刷を行う。この印刷により、記録テープの表面に印刷画像を形成する。一方、切断部１５は、テープカッター３２を有し、印刷テープの印刷済み部分を切断する。このように、本ラベル作成装置１では、印刷部１４により印刷テープに印刷を行いつつ、切断部１５により当該印刷済み部分を切断する（切り離す）ことで、ラベルを作成する。
【００２１】
制御部１６は、ＣＰＵ（Central  Processing  Unit）、ＲＯＭ（Read  Only  Memory）、ＲＡＭ（Random  Access  Memory）等で構成されており、ラベル作成装置１全体を統括制御する。制御部１６は、記憶部１７に記憶された各プログラムを実行することで、ラベル作成装置１の各部を制御する。
【００２２】
記憶部１７は、フラッシュＲＯＭ等で構成されている。また、記憶部１７は、ストリップ印刷機能に係わるプログラムとして、編集画面表示プログラム４１と、編集対象切替プログラム４２と、ラベル作成プログラム４３と、を記憶している。編集画面表示プログラム４１は、ディスプレイ１１上にストリップ印刷機能用の編集画面Ｄを表示すると共に、当該編集画面Ｄを遷移させるプログラムである。編集対象切替プログラム４２は、編集画面Ｄ上での編集における編集対象のラベルを切り替えるプログラムである。ラベル作成プログラム４３は、印刷部１４および切断部１５を制御し、編集画面Ｄ上での編集結果に基づいて印刷処理および切断処理を行うプログラムである。本実施形態では、これらのプログラムを、制御部１６に実行させることで、ストリップ印刷機能を実現している。ここで各プログラムの詳細について説明する前に、編集画面Ｄおよびその遷移の仕方について説明する。
【００２３】
図２（ａ）に示すように、ストリップ印刷機能用の編集画面Ｄは、画面下部に配置された印刷内容表示領域５１と、印刷内容表示領域５１の上側に配置されたプレビュー表示領域５２と、プレビュー表示領域５２の左側に配置された寸法表示領域５３と、を有している。印刷内容表示領域５１は、各ラベルの印刷内容６２を表示する表示領域であり、プレビュー表示領域５２は、編集対象となっているラベルのプレビュー画像７１（印刷プレビュー）を表示する表示領域であり、寸法表示領域５３は、編集対象となっているラベルの寸法（テープ幅およびテープ長）を表示する表示領域である。上記したように、ストリップ印刷機能では、複数のラベルをまとめて作成可能であり、編集画面Ｄでは、作成対象となっている複数のラベルの印刷内容を編集可能となっている。この作成対象となっている複数のラベルは、ラベル作成の便宜上、順番付けされてラベル番号６１が付加（設定）されている。図２（ａ）では、作成対象となっている３つのラベルのうち、順番上２つ目のラベルが編集対象となっている例を示している。
【００２４】
印刷内容表示領域５１では、各ラベルの印刷内容６２と、当該各ラベルのラベル番号６１と、を表示する。印刷内容表示領域５１では、各印刷内容６２を、テキスト形式で個々に編集可能に表示する。
【００２５】
また、印刷内容表示領域５１では、印刷内容表示領域５１の大きさの兼ね合いで、印刷内容６２を文字列２行分しか表示できない。そのため、図２（ａ）の例では、編集対象となっている２つ目のラベルの印刷内容６２と、その次の３つ目のラベルの印刷内容６２としか表示されていないが、編集対象のラベルを基準として上下にスクロールすることで、作成対象となっている全てのラベルの各印刷内容６２を確認することができるようになっている。なお、図２（ａ）の例では、１行から成る印刷内容６２を例示し、印刷内容６２を１行で表示しているが、印刷内容６２が、複数行から成るものである場合には、印刷内容６２を複数行で表示する。例えば、図２（ａ）の例において、２つ目のラベルが２行から成る印刷内容６２である場合には、印刷内容６２を２行で表示する。その結果、２つ目のラベルの印刷内容６２のみで表示可能行数に達するため、２つ目のラベルの印刷内容６２のみを表示する形になる。なお、符号６３は、各行を示す行番号である。
【００２６】
また、印刷内容表示領域５１では、印刷内容６２上の編集位置を示すカーソル６４を、編集対象となっているラベルの印刷内容６２上に点滅表示する。上記した左カーソルキー２２ｃは、このカーソル６４を、印刷内容６２の先頭方向（左方向）に移動させるキーであり、上記した右カーソルキー２２ｄは、このカーソル６４を、印刷内容６２の後尾方向（右方向）に移動させるキーである。すなわち、左カーソルキー２２ｃまたは右カーソルキー２２ｄが押下されると、これに伴って、カーソル６４が印刷内容６２上を移動し、編集位置を左右に変更できるようになっている。そして、文字キー群２１の操作により文字が入力されると、これに伴って、カーソル６４の位置から後ろに、入力した文字が挿入される。また、削除キー２２ｂが押下されると、カーソル６４の位置から前の文字が削除される。このように、ユーザーは、カーソルキー２２ｃ、２２ｄにより編集位置を変えつつ、文字キー群２１および削除キー２２ｂを操作することで、編集対象のラベルの印刷内容６２を編集することができるようになっている。
【００２７】
一方、プレビュー表示領域５２では、編集対象となっているラベルのプレビュー画像７１を表示する。当該プレビュー画像７１は、印刷内容６２の編集結果に基づく印刷データ（白抜き文字）と、切断された印刷テープ（テープ片）のイメージであるテープイメージ（黒塗り領域）とを重畳させたものである。プレビュー画像７１は、プレビュー表示領域５２上において、上記カーソル６４の位置に合わせてスクロール表示される。図２（ｂ）および（ｃ）に示すように、プレビュー画像７１の大きさが、プレビュー表示領域５２より大きい場合には、プレビュー画像７１をスクロールさせることで、プレビュー画像７１全体が確認できるようになっている。
【００２８】
また、プレビュー表示領域５２では、編集対象となっているラベルに対し、上記順番上１つ前のラベルが存在する場合、プレビュー画像７１の左側（先頭側）に、左矢印オブジェクト７４（第１オブジェクト）を表示する。左矢印オブジェクト７４は、順番上１つ前のラベルが存在することを示すものであり、左方向を指し示す矢印のオブジェクトである。一方、編集対象となっているラベルに対し、上記順番上１つ後のラベルが存在する場合、プレビュー画像７１の右側（後尾側）に、右矢印オブジェクト７５（第２オブジェクト）を表示する。右矢印オブジェクト７５は、順番上１つ後のラベルが存在することを示すものであり、右方向を指し示す矢印のオブジェクトである。この各矢印オブジェクト７４、７５の表示によって、編集対象となっているラベルに対し、順番上前後するラベルが存在するか否かを確認することができるようになっている。
【００２９】
なお、各矢印オブジェクト７４、７５の表示位置は、プレビュー画像７１の表示可能領域と重畳しているため、図２（ｂ）および（ｃ）に示すように、プレビュー画像７１が大きく、プレビュー画像７１が各矢印オブジェクト７４、７５の表示位置と重なる場合には、各矢印オブジェクト７４、７５を非表示とする。すなわち、左矢印オブジェクト７４の表示条件は、編集対象となっているラベルに対し、順番上１つ前のラベルが存在すると共に、左矢印オブジェクト７４の表示位置に、プレビュー画像７１が重なっていないこと、となる。また、右矢印オブジェクト７５の表示条件は、編集対象となっているラベルに対し、順番上１つ後のラベルが存在すると共に、右矢印オブジェクト７５の表示位置に、プレビュー画像７１が重なっていないこと、となる。
【００３０】
次に図１に戻り、編集画面表示プログラム４１、編集対象切替プログラム４２およびラベル作成プログラム４３の詳細について説明する。編集画面表示プログラム４１は、ディスプレイ１１上にストリップ印刷機能用の編集画面Ｄを表示すると共に、キーボード１２の操作や編集対象切替プログラム４２による編集対象の切替えを受けて、当該編集画面Ｄを遷移させるプログラムである。すなわち、制御部１６は、編集画面表示プログラム４１に従って、ディスプレイ１１上に編集画面Ｄを表示し、キーボード１２の操作や編集対象の切替えを受けて、上記したように、当該編集画面Ｄを遷移させる。このように、「編集画面表示部」は、ディスプレイ１１、制御部１６および編集画面表示プログラム４１により、構成されている。
【００３１】
編集対象切替プログラム４２は、キーボード１２の操作を受けて、作成対象となっている複数のラベルの中で、編集対象のラベルを切り替えるプログラムである。すなわち、制御部１６は、編集対象切替プログラム４２に従い、キーボード１２の操作を受けて、作成対象となっている複数のラベルの中で、編集対象のラベルを切り替える。このように、「編集対象切替部」は、制御部１６および編集対象切替プログラム４２により、構成されている。
【００３２】
本実施形態では、特定の条件下で、左カーソルキー２２ｃまたは右カーソルキー２２ｄが押下された時、編集対象のラベルを切り替える構成となっている。具体的には、カーソル６４が印刷内容６２の先頭位置（最左端）にある状態で左カーソルキー２２ｃが押下された時、編集対象のラベルに対し上記順番上１つ前のラベルが存在する場合には、編集対象のラベルを当該１つ前のラベルに切り替える。また、カーソル６４が印刷内容６２の後尾位置（最右端）にある状態で右カーソルキー２２ｄが押下された時、編集対象のラベルに対し上記順番上１つ後のラベルが存在する場合には、編集対象のラベルを当該１つ後のラベルに切り替える。このような方式で切替処理を行うことで、編集対象のラベルを、直観的に切り替えることができるようになっている。
【００３３】
ラベル作成プログラム４３は、印刷部１４および切断部１５を制御し、編集画面Ｄ上での各印刷内容６２の編集結果に基づいて、印刷処理および切断処理を行うプログラムである。すなわち、制御部１６は、ラベル作成プログラム４３に従って、印刷部１４および切断部１５を制御し、編集画面Ｄ上での各印刷内容６２の編集結果に基づいて、印刷処理および切断処理を行う。具体的には、印刷キー２２ａの押下に起因して、作成対象となっているラベル毎に、編集結果に基づく印刷データの生成、当該印刷データの印刷テープへの印刷、および編集結果に基づくテープ長での印刷テープの切断を行う。これによって、各印刷内容６２の編集結果に基づく複数のラベルを作成する。
【００３４】
次に図３および図４を参照して、ストリップ印刷機能によるラベル作成動作およびラベル作成動作中の画面遷移について説明する。図３および図４は、ラベル作成動作における編集画面Ｄの遷移例を示した画面遷移図である。以下に示す例では、印刷内容６２がそれぞれ「ＡＢＣ７」、「ＡＢＣ２６」および「ＡＢＣ３３」の３つのラベルを作成するものを示す。また、本ラベル作成動作は、キーボード１２の操作によって、印刷モードとして、ストリップ印刷機能を用いるストリップ印刷モードが選択され、ストリップ印刷モードに移行した状態で行われるものとする。
【００３５】
図３（ａ）に示すように、ストリップ印刷モードに移行すると、制御部１６は、編集画面表示プログラム４１に従って、ストリップ印刷機能用の編集画面Ｄを表示する。編集画面Ｄを表示した初期状態では、１つ目のラベルが編集対象となっており、１つ目のラベルの印刷内容６２が編集（入力）可能な状態となっている。また、１つ目のラベルの印刷内容６２に基づくプレビュー画像７１を生成し、これをプレビュー表示領域５２に表示する。この時点では、１つ目のラベルの印刷内容６２は入力されていないため、プレビュー画像７１として、テープイメージのみを表示する。さらに、１つ目のラベルには、順番上１つ後のラベルが存在するため、右矢印オブジェクト７５をプレビュー表示領域５２に表示する。ここで、ユーザーが、文字キー群２１により「ＡＢＣ７」を入力するものとする。
【００３６】
図３（ｂ）に示すように、「ＡＢＣ７」が入力されると、制御部１６は、これを受け、編集画面表示プログラム４１に従って、編集画面Ｄを遷移させる。具体的には、印刷内容表示領域５１上における、１つ目のラベルの印刷内容６２に、この入力内容（「ＡＢＣ７」）を反映し、この編集結果を、プレビュー画像７１にも反映する。すなわち、「ＡＢＣ７」のラベルのプレビュー画像７１を生成し、これをプレビュー表示領域５２に表示する。このとき、カーソル６４は、印刷内容６２（「ＡＢＣ７」）の後尾に位置している。ここで、ユーザーが、右カーソルキー２２ｄを押下するものとする。
【００３７】
右カーソルキー２２ｄを押下されると、カーソル６４が印刷内容６２の後尾に位置した状態であり且つ順番上１つ後のラベルが存在するため、制御部１６は、編集対象切替プログラム４２に従って、編集対象を２つ目のラベルに切り替える。これにより、２つ目のラベルの印刷内容６２が編集可能な状態となる。図３（ｃ）に示すように、編集対象が切り替わると、制御部１６は、これを受け、編集画面表示プログラム４１に従って、編集画面Ｄを遷移させる。具体的には、印刷内容表示領域５１上の表示を、２つ目のラベルの印刷内容６２が最上部に来るようにスクロールする。そして、２つ目のラベルのプレビュー画像７１を生成して、１つ目のラベルのプレビュー画像７１と差し替える。この時点では、２つ目のラベルの印刷内容６２は入力されていないため、プレビュー画像７１として、テープイメージのみを表示する。また、２つ目のラベルは、順番上１つ前のラベルが存在すると共に、順番上１つ後のラベルが存在するため、左矢印オブジェクト７４および右矢印オブジェクト７５をプレビュー表示領域５２に表示する。ここで、ユーザーが、文字キー群２１により「ＡＢＣ２６」を入力するものとする。
【００３８】
図４（ｄ）に示すように、「ＡＢＣ２６」が入力されると、１つ目のラベルの場合と同様、制御部１６は、編集画面表示プログラム４１に従って、編集画面Ｄを遷移させる。具体的には、印刷内容表示領域５１上における、２つ目のラベルの印刷内容６２に、この入力内容（「ＡＢＣ２６」）を反映し、この編集結果を、プレビュー画像７１にも反映する。すなわち、「ＡＢＣ２６」のラベルのプレビュー画像７１を生成し、これをプレビュー表示領域５２に表示する。このとき、カーソル６４は、印刷内容６２の後尾に位置している。ここで、ユーザーが、右カーソルキー２２ｄを押下するものとする。
【００３９】
右カーソルキー２２ｄを押下されると、カーソル６４が印刷内容６２の後尾に位置した状態であり且つ順番上１つ後のラベルが存在するため、制御部１６は、編集対象切替プログラム４２に従って、編集対象を３つ目のラベルに切り替える。図４（ｅ）に示すように、編集対象が２つ目のラベルに切り替わった時と同様、編集対象が切り替わると、制御部１６は、これを受け、編集画面表示プログラム４１に従って、編集画面Ｄを遷移させる。具体的には、印刷内容表示領域５１上の表示を、３つ目のラベルの印刷内容６２が最上部に来るようにスクロールする。そして、３つ目のラベルのプレビュー画像７１を生成して、２つ目のラベルのプレビュー画像７１と差し替える。この時点では、３つ目のラベルの印刷内容６２は入力されていないため、プレビュー画像７１として、テープイメージのみを表示する。また、３つ目のラベルは、順番上１つ前のラベルが存在するため、左矢印オブジェクト７４をプレビュー表示領域５２に表示する。ここで、ユーザーが、文字キー群２１により「ＡＢＣ３３」を入力するものとする。
【００４０】
図４（ｆ）に示すように、「ＡＢＣ３３」が入力されると、１つ目や２つ目のラベルの場合と同様、制御部１６は、編集画面表示プログラム４１に従って、編集画面Ｄを遷移させる。具体的には、印刷内容表示領域５１上における、３つ目のラベルの印刷内容６２に、この入力内容（「ＡＢＣ３３」）を反映し、この編集結果を、プレビュー画像７１にも反映する。すなわち、「ＡＢＣ３３」のラベルのプレビュー画像７１を生成し、これをプレビュー表示領域５２に表示する。ここで、ユーザーが、印刷キー２２ａを押下するものとする。
【００４１】
印刷キー２２ａが押されると、制御部１６は、ラベル作成プログラム４３に従って、印刷部１４および切断部１５を制御し、編集画面Ｄ上での各印刷内容６２の編集結果（「ＡＢＣ７」、「ＡＢＣ２６」、「ＡＢＣ３３」）に基づいて、印刷処理および切断処理を行う。すなわち、ラベル毎に、編集結果に基づく印刷データを生成し、生成した印刷データを印刷テープに印刷し、更に、編集結果に基づくテープ長で印刷テープを切断する。これによって、「ＡＢＣ７」、「ＡＢＣ２６」および「ＡＢＣ３３」がそれぞれ印刷された３つのラベルが作成される。これにより、本ラベル作成動作を終了する。
【００４２】
［第２実施形態］
ここで図５ないし図７を参照して、本発明の第２実施形態について、第１実施形態とは異なる部分のみ説明する。第２実施形態では、ユーザーが複数のラベルをまとめて作成する際、似たような印刷内容６２のラベルを作成するケースが多いことを勘案し、１つ目のラベルに入力した印刷内容６２（編集結果）を、２つ目以降のラベルの印刷内容６２にも反映させることで、２つ目以降のラベルの編集作業を簡略化したものである。
【００４３】
図５に示すように、第２実施形態におけるラベル作成装置１は、記憶部１７が、図１に示した各プログラムに加え、編集結果反映プログラム８１を記憶している。編集結果反映プログラム８１は、ストリップ印刷機能において作成対象となっている複数のラベルのうちの順番上１つ目のラベルにおける印刷内容６２の編集結果を、他のラベル（２つ目以降のラベル）の印刷内容６２に反映させるプログラムである。すなわち、制御部１６は、編集結果反映プログラム８１に従って、１つ目のラベルにおける印刷内容６２の編集結果を、２つ目以降のラベルの印刷内容６２に反映させる。このように、「編集結果反映部」は、制御部１６および編集結果反映プログラム８１により構成されている。
【００４４】
図６および図７は、第２実施形態のラベル作成動作における編集画面Ｄの遷移例を示した画面遷移図である。第２実施形態におけるラベル作成動作では、図６（ｂ）に示すように、１つ目のラベルが編集対象となっている状態で、「ＡＢＣ７」が入力されると、制御部１６は、編集画面表示プログラム４１に従って、１つ目のラベルの印刷内容６２に、当該入力内容（「ＡＢＣ７」）を反映されるだけでなく、編集結果反映プログラム８１に従って、２つ目のラベルの印刷内容６２および３つ目のラベルの印刷内容６２にも、当該入力内容を反映される。その結果、２つ目のラベルや３つ目のラベルの印刷内容６２を編集する際には、１つ目のラベルの編集結果が、初期値となっている（図６（ｃ）および図７（ｅ）参照）。よって、２つ目のラベルの編集時には、「７」を「２６」に変更するだけで良く（図７（ｄ）参照）、３つ目のラベルの編集時には、「７」を「３３」に変更するだけで良い（図７（ｆ）参照）。
【００４５】
以上の各実施形態の構成によれば、編集対象となっているラベルに対し、順番上１つ前のラベルが存在する場合、プレビュー画像７１の先頭側に、左矢印オブジェクト７４を表示し、編集対象となっているラベルに対し、順番上１つ後のラベルが存在する場合、プレビュー画像７１の後尾側に、右矢印オブジェクト７５を表示する。このような表示により、ユーザーは、プレビュー画像７１が表示されている編集中のラベルに対し、順番上前後するラベルが存在するか否かを直観的且つ容易に把握することができる。そのため、各ラベルの編集作業をスムーズに行うことができ、ラベル作成作業をスムーズに行うことができる。
【００４６】
また、カーソル６４が印刷内容６２の先頭位置にある状態で左カーソルキー２２ｃが押下された時、編集対象のラベルを順番上１つ前のラベルに切り替え、カーソル６４が印刷内容６２の後尾位置にある状態で右カーソルキー２２ｄが押下された時、編集対象のラベルを順番上１つ後のラベルに切り替える構成であるため、カーソルキー２２ｃ、２２ｄを用いた直観的な操作で、編集対象のラベルを切り替えることができる。よって、各ラベルの編集作業をよりスムーズに行うことができる。
【００４７】
さらに、第２実施形態の構成によれば、１つ目のラベルの編集結果を、２つ目以降のラベルにも反映される構成であるため、２つ目以降のラベルの編集作業を簡略化することができ、ラベル作成作業を、よりスムーズに行うことができる。例えば、注意を促すコーションラベルを、注意内容を変えて複数作成したい場合にも、共通で使用する「注意！」や「Ｃａｕｔｉｏｎ！」の文字を、１つ目のラベルの編集時に入力すれば、２つ目以降のラベルで、改めてこれを入力する必要がない。
【００４８】
なお、上記各実施形態において、編集画面Ｄにて、編集対象となっているラベルに対して順番上前後するラベルの印刷内容６２を表示する構成であっても良い。すなわち、図８に示すように、編集画面Ｄが、画面の上下方向中央に配置されたプレビュー表示領域５２と、プレビュー表示領域５２の上側に配置された第１印刷内容表示領域５１ａと、プレビュー表示領域５２の下側に配置された第２印刷内容表示領域５１ｂと、を有する。そして、プレビュー表示領域５２では、編集対象となっているラベルのプレビュー画像７１を表示し、第１印刷内容表示領域５１ａでは、編集対象となっているラベルに対し順番上１つ前のラベルの印刷内容６２をテキスト形式で表示し、第２印刷内容表示領域５１ｂでは、編集対象となっているラベルに対し順番上１つ後のラベルの印刷内容６２をテキスト形式で表示する。このように、制御部１６は、編集画面表示プログラム４１に従って、編集画面Ｄにおいて、プレビュー画像７１と共に、編集対象となっているラベルに対し順番上前後するラベルの印刷内容６２を表示する。このような構成によれば、ユーザーは、前後のラベルの有無のみならず、前後のラベルの印刷内容６２についても把握することができる。また、矢印オブジェクト７４、７５の表示と、印刷内容６２の表示との両方で、前後のラベルの有無を把握することができるので、前後のラベルの有無がより把握しやすくなり、各ラベルの編集作業をよりスムーズに行うことができる。なお、図８では、カーソル６４の図示を省略しているが、かかる構成では、プレビュー表示領域５２上のプレビュー画像７１上に、カーソル６４を表示することが好ましい。
【００４９】
また、上記各実施形態においては言及していないが、ストリップ印刷機能においてまとめて作成するラベルの数は、ユーザーに選択設定させる構成であっても良いし、予め定められている構成であっても良い。ひいては、編集画面Ｄ上での特定の操作によって、当該ラベルの数が増減する構成であっても良い。
【符号の説明】
【００５０】
１：ラベル作成装置、  １１：ディスプレイ、  １２：キーボード、  １６：制御部、  ４１：編集画面表示プログラム、  ４２：編集対象切替プログラム、  Ｄ：編集画面、  ７１：プレビュー画像、  ７４：左矢印オブジェクト、  ７５：右矢印オブジェクト。
【図１】
0006565183.tif 000002
【図２】
0006565183.tif 000003
【図３】
0006565183.tif 000004
【図４】
0006565183.tif 000005
【図５】
0006565183.tif 000006
【図６】
0006565183.tif 000007
【図７】
0006565183.tif 000008
【図８】
0006565183.tif 000009